(57)【要約】【課題】  特性評価のための測定等を低コストで簡単に行えるようにした送受信ユニットおよびその測定方法を提供する。【解決手段】  送受信回路１が構成された回路基板２を有し、回路基板２上には送受信回路１の入出力端１ａに接続されると共に、測定器に接続されたプローブ１１のホット端１１ａが接触可能な測定ランド３と、測定ランド３近傍に配置され、プローブ１１のホット端１１ａが測定ランド３に接触したときにコールド端１１ｂが共に接触する第１及び第２の島状のランド４、５とを設け、第１の島状のランド４を回路基板２内で接地すると共に、測定ランド３と第２の島状のランド５とを使用周波数に対応する波長の１／４の電気長を有する伝送線路６で相互に接続し、第２の島状のランド５をアンテナ接続用端子とした。【選択図】        図１
2006222779.tif 000002
【特許請求の範囲】
【請求項１】
送受信回路が構成された回路基板を有し、前記回路基板上には前記送受信回路の入出力端に接続されると共に、測定器に接続されたプローブのホット端が接触可能な測定ランドと、前記測定ランドの近傍に配置され、前記プローブのホット端が前記測定ランドに接触したときにコールド端が共に接触する第１及び第２の島状のランドとを設け、前記第１の島状のランドを前記回路基板内で接地すると共に、前記測定ランドと前記第２の島状のランドとを使用周波数に対応する波長の１／４の電気長を有する伝送線路で相互に接続し、前記第２の島状のランドをアンテナ接続用端子としたことを特徴とする送受信ユニット。
【請求項２】
前記第１及び第２の島状ランドを前記測定ランドを囲むように前記測定ランドに対して同心的に配置したことを特徴とする請求項１に記載の送受信ユニット。
【請求項３】
送受信回路が構成された回路基板上に前記送受信回路の入出力端に接続された測定ランドと、前記測定ランドの近傍に配置された第１及び第２の島状のランドとを設け、前記第１の島状のランドを前記回路基板内で接地すると共に、前記測定ランドと前記第２の島状のランドとを使用周波数に対応する波長の１／４の電気長を有する伝送線路で相互に接続し、前記第２の島状のランドをアンテナ接続用端子とし、測定器に接続されたプローブのホット端を前記測定ランドに接触させると共に、前記プローブのコールド端を前記第１及び第２の島状のランドに接触させ、前記測定器と前記送受信回路との間で測定用信号を入出力したことを特徴とする送受信ユニットの測定方法。
【請求項４】
前記第１及び第２の島状ランドを前記測定ランドを囲むように前記測定ランドに対して同心的に配置したことを特徴とする請求項３に記載の送受信ユニットの測定方法。
【発明の詳細な説明】
【技術分野】
【０００１】
本発明は、特性評価のための測定等を低コストで簡単に行えるようにした送受信ユニットおよびその測定方法に関する。
【背景技術】
【０００２】
特性評価のために使用される従来の無線機を図２に従って説明する。１００は無線機に使用される高周波信号分岐回路、１０１はアンテナ用端子、１０２は第１の伝送線路、１０３はスイッチ、１０４は第２の伝送線路、１０５は測定用端子、１０６はコネクタ、１０７は第３の伝送線路、１０８は無線回路用端子、１０９は接続位置である。
【０００３】
高周波信号分岐回路１００でスイッチ１０３を断とし、コネクタ１０６に何も接続しないときは、接続位置１０９から第２の伝送線路１０４とコネクタ１０６を含めた伝送線路の電気長は使用周波数で約１／２波長であり、接続位置１０９からコネクタ１０６の方を見た使用周波数でのインピーダンスは理想的には無限大になっているので、測定用端子１０５を付加したことの影響は無視でき、無線回路用端子１０８からの入出力電力は全てアンテナ用端子１０１へ入出力される。
【０００４】
コネクタ１０６に測定器を接続し、送受信特性を測定する場合は、スイッチ１０３を接とし、接続位置１０９から第１の伝送線路１０２とスイッチ１０３を含めた電気長は使用周波数で約１／４波長として接地し、接続位置１０９からスイッチ１０３の方を見た使用周波数でのインピーダンスは理想的には無限大になっているので、無線回路用端子１０８からの入出力電力は全て測定用端子１０５へ入出力され、無線機の入出力電力を測定することが可能である（例えば、特許文献１参照。）。
【０００５】
【特許文献１】特開平１１−２９８３６５号公報（図１）
【発明の開示】
【発明が解決しようとする課題】
【０００６】
上記の従来例では、測定時にのみ使用され、実使用状態では使用されることがないスイッチを設けているので、無線機がコスト高になるという問題がある。
【０００７】
本発明は、特性評価のための測定等を低コストで簡単に行えるようにした送受信ユニットおよびその測定方法を提供することを目的とする。
【課題を解決するための手段】
【０００８】
本発明の送受信ユニットは、送受信回路が構成された回路基板を有し、前記回路基板上には前記送受信回路の入出力端に接続されると共に、測定器に接続されたプローブのホット端が接触可能な測定ランドと、前記測定ランドの近傍に配置され、前記プローブのホット端が前記測定ランドに接触したときにコールド端が共に接触する第１及び第２の島状のランドとを設け、前記第１の島状のランドを前記回路基板内で接地すると共に、前記測定ランドと前記第２の島状のランドとを使用周波数に対応する波長の１／４の電気長を有する伝送線路で相互に接続し、前記第２の島状のランドをアンテナ接続用端子とした。
【０００９】
また、前記第１及び第２の島状ランドを前記測定ランドを囲むように前記測定ランドに対して同心的に配置した。
【００１０】
また、本発明の送受信ユニットの測定方法は、送受信回路が構成された回路基板上に前記送受信回路の入出力端に接続された測定ランドと、前記測定ランドの近傍に配置された第１及び第２の島状のランドとを設け、前記第１の島状のランドを前記回路基板内で接地すると共に、前記測定ランドと前記第２の島状のランドとを使用周波数に対応する波長の１／４の電気長を有する伝送線路で相互に接続し、前記第２の島状のランドをアンテナ接続用端子とし、測定器に接続されたプローブのホット端を前記測定ランドに接触させると共に、前記プローブのコールド端を前記第１及び第２の島状のランドに接触させ、前記測定器と前記送受信回路との間で測定用信号を入出力した。
【００１１】
また、前記第１及び第２の島状ランドを前記測定ランドを囲むように前記測定ランドに対して同心的に配置した。
【発明の効果】
【００１２】
請求項１に記載した送受信ユニットによれば、送受信回路が構成された回路基板を有し、回路基板上には送受信回路の入出力端に接続されると共に、測定器に接続されたプローブのホット端が接触可能な測定ランドと、測定ランドの近傍に配置され、プローブのホット端が測定ランドに接触したときにコールド端が共に接触する第１及び第２の島状のランドとを設け、第１の島状のランドを回路基板内で接地すると共に、測定ランドと第２の島状のランドとを使用周波数に対応する波長の１／４の電気長を有する伝送線路で相互に接続し、第２の島状のランドをアンテナ接続用端子としたので、コストを高めることなく簡単に測定ができる送受信ユニットが構成できる。
【００１３】
また、請求項２に記載した送受信ユニットによれば、第１及び第２の島状ランドを測定ランドを囲むように測定ランドに対して同心的に配置したので、同軸型のプローブを使用して正確な測定をできる送受信ユニットを構成できる。
【００１４】
また、請求項３に記載した送受信ユニットの測定方法によれば、送受信回路が構成された回路基板上に送受信回路の入出力端に接続された測定ランドと、測定ランドの近傍に配置された第１及び第２の島状のランドとを設け、第１の島状のランドを回路基板内で接地すると共に、測定ランドと第２の島状のランドとを使用周波数に対応する波長の１／４の電気長を有する伝送線路で相互に接続し、第２の島状のランドをアンテナ接続用端子とし、測定器に接続されたプローブのホット端を測定ランドに接触させると共に、プローブのコールド端を第１及び第２の島状のランドに接触させ、測定器と送受信回路との間で測定用信号を入出力したので、コストを高めることなく簡単に測定ができる。
【００１５】
また、請求項４に記載した送受信ユニットの測定方法によれば、第１及び第２の島状ランドを測定ランドを囲むように測定ランドに対して同心的に配置したので、同軸型のプローブを使用して正確な測定が可能となる。
【発明を実施するための最良の形態】
【００１６】
図１を参照して本発明の送受信ユニット及び送受信ユニットの測定方法を説明する。送受信回路１が構成される回路基板２には導体の測定ランド３が形成される。この測定ランド３の周囲には、これと同一面に導体からなる第１の島状のランド４及び第２の島状のランド５が測定ランド３を囲むようにその近傍で弧状に形成される。第１の島状のランド４は、第２の島状のランドよりも弧の長さが長くなっており、回路基板２内の接地部（図示せず）に接続されている。また、第２の島状のランドは、伝送線路６によって測定ランド３に接続される。伝送線路６は送受信回路１に入出力される信号の周波数（使用周波数）に対応する波長の１／４の電気長を有する。
【００１７】
測定ランド３はスルーホールによって回路基板２の下面に設けられた配線パターン７に接続され、この配線パターン７はするホールによって上面のハイセンタターン８に接続される。そして、配線パターン８が送受信回路１の入出力端１ａに接続される。従って、第１の島状のランド３と配線パターン７との接触が避けられる。また、回路基板２には整合回路９が構成され、第２の島状のランド５は整合回路９を介して外部のアンテナ１０に接続される。従って、第２の島状のランドはアンテナ接続用端子として使用される。アンテナ１０を回路基板２上に形成することも可能である。
【００１８】
測定ランド３、第１及び第２の島状のランド４、５には、送受信回路１の特性評価のための測定時にプローブ１１が接触される。プローブ１１はホット端（信号入出力端）である中心導体１１ａとコールド端（接地部）である外部導体１１ｂとを有した同軸型のプローブであり、中心導体１１ａには接触ピンＰ１が取り付けられ、外部導体１１ｂには複数の接触ピンＰ２、Ｐ３が取り付けられている。そして、測定時には接触ピンＰ１が測定ランド３に、接触ピンＰ１が第１の島状のランド４に、接触ピンＰ２が第２の島状のランド５にそれぞれ接触される。このプローブ１１はケーブル１２によって図示しない測定器に接続される。
【００１９】
各接触ピンＰ１〜Ｐ３がそれぞれ測定ランド３、第１の島状のランド４、第２の島状のランド５に接触された状態では、第２の島状のランド５も接地状態となるので、伝送線路６によって測定ランド３から第２の島状のランド５側をみたインピーダンスが理想的には無限大となるので、測定器から測定信号を送受信回路１に入力する際に整合回路９側の影響を受けない。また、送受信器２から測定器に信号を出力する際も同様である。また、同軸型のプローブを使用することで、接触部分のインピーダンスの乱れが少なくなる。
【００２０】
また、送受信ユニットの実使用状態では、プローブ１１が各ランド３〜５に接触しないので第２の島状のランド５が接地されず、送受信回路１とアンテナ１０との間では、伝送線路６を介して信号の送受が行われる。
【００２１】
以上のように、本発明では、送受信回路２が構成される回路基板２に測定ランド３を設けると共に、測定ランド３の近傍に第１の島状のランド４、第２の島状のランド５を設けるだけであるので、送受信ユニットのコストを高めることなく簡単に測定ができる。
【００２２】
なお、プローブ１１は同軸型のプローブである必要はなく、少なくとも中心導体１１ａに相当するホット端と外部導体１１ｂに相当するコールド端とを有し、ホット端を測定ランド３に接触した際にコールド端が第１の島状のランド４と第２の島状のランド５に共に接触するものであればよい。また、接触ピンＰ１〜Ｐ３は接触を確実にするためのものであり、必ずしも必要ではない。
【図面の簡単な説明】
【００２３】
【図１】本発明の送受信ユニットとその測定方法を説明するための概念図である。
【図２】従来の送受信ユニットとその測定方法を説明するための概念図である。
【符号の説明】
【００２４】
１：送受信回路
２：回路基板
３：測定ランド
４：第１の島状のランド
５：第２の島状のランド
６：伝送線路
７、８：配線パターン
９：整合回路
１０：アンテナ
１１：プローブ
１１ａ：中心導体
１１ｂ：外部導体
Ｐ１、Ｐ２、Ｐ３：接触ピン
【図１】
2006222779.tif 000003
【図２】
2006222779.tif 000004